(57)【要約】      （修正有）【課題】折畳まれた折畳みシートを容易に広げることができ、かつ折畳みシートを広げる際に、無理な方向に折畳みシートを引っ張ることがなく、折畳みシートが破れてしまうことがない開放方向指示表示付折畳みシートを提供する。【解決手段】垂直方向の折り目線に沿ってアコーディオンカーテン状に縦方向に折畳まれた後、水平方向の折り目線に沿ってアコーディオンカーテン状に横方向に折畳まれることにより、折畳んで携帯可能とした折畳みシート１０であって、折畳み可能なように表面又は裏面に折り目線が設けられたシート状部材１２と、折畳んだときに、該シート状部材の折畳み表面と折畳み裏面となる位置にある相対向する角を含む対向片に貼着される表紙部材１４及び背表紙部材と、該表紙部材及び／又は該背表紙部材に付された開放方向指示表示１８と、からなり、該開放方向指示表示に従って該シート状部材を開くことにより、容易に広げられるようにした。【選択図】図３
0003104537.tif 000002
【実用新案登録請求の範囲】
【請求項１】
垂直方向の折り目線に沿ってアコーディオンカーテン状に縦方向に折畳まれた後、水平方向の折り目線に沿ってアコーディオンカーテン状に横方向に折畳まれることにより、折畳んで携帯可能とした折畳みシートであって、
折畳み可能なように表面又は裏面に折り目線が設けられたシート状部材と、
折畳んだときに、該シート状部材の折畳み表面と折畳み裏面となる位置にある相対向する角を含む対向片に貼着される表紙部材及び背表紙部材と、
該表紙部材及び／又は該背表紙部材に付された開放方向指示表示と、
からなり、
該開放方向指示表示に従って該シート状部材を開くことにより、該シート状部材を容易に広げることができるようにしたことを特徴とする開放方向指示表示付折畳みシート。
【請求項２】
前記シート状部材の折り目線が、垂直方向の折り目線は略Ｗ字形状波線とされ、水平方向の折り目線は直線とされ、該略Ｗ字形状波線とされた垂直方向の折り目線と該直線とされた水平方向の折り目線とからなる平行四辺形を４つ隣り合わせて構成された矢羽根状折り目領域を複数個結合させてなることを特徴とする請求項１記載の開放方向指示表示付折畳みシート。
【考案の詳細な説明】
【技術分野】
【０００１】
本考案は、折畳み可能な折畳みシートに、折畳んだ状態の折畳みシートを開放する方向を指示するための開放方向指示表示を設けた折畳みシートに関する。
【背景技術】
【０００２】
従来、折畳み可能な折畳みシートとしては、例えば、頂点及び隣り合った２側辺を共有させた状態で矢羽根状に配置された４個の平行四辺形で構成された基本領域の集合で作られ、矢羽根方向と交差する方向の側辺のうち矢羽根方向に隣合ったものどうしが相反するようにかつ矢羽根方向に対し直角な方向に隣合ったものどうしが同方向に山・谷折りとされ、矢羽根方向に平行な側辺のうち矢羽根方向に隣合ったものどうし並びに矢羽根方向に直角な方向に隣合ったものどうしが相反するように山・谷折りに折りたたまれた地図が知られている（特許文献１）。
【０００３】
この地図に用いられる折畳みかたは、通称ミウラ折りとも呼ばれ、地図をコンパクトに折畳むことができるのみならず、該折畳まれた地図を簡単に広げることができるため、非常に便利である。
【０００４】
しかし、実際には、このような折り方の地図を広げる際には、手でつかむ部分の近傍が破れやすく、あわてて地図を開こうとすると地図が破れてしまうという問題があった。また、かかる部分が破れないようにそっと地図を開くのは非常に面倒であった。
【０００５】
また、折畳みシートの対角方向対向隅角部またはその付近の区画に、シートの他の部分より剛性のある材料からなる対角方向対向に規定された２つの補強部分を備えることにより、一方の補強部分を一方の手でつかみ、他方の補強部分を他方の手でつかむことによって一回の動作でシートを広げることができ、かつ一回の動作でシートを折畳むことができるようにした折畳みシートが知られている（特許文献２）。
【０００６】
しかし、実際には、上記折畳みシートの開放方向を知らない人が、折畳まれた該折畳みシートの上記補強部分を手でつかんで一回の動作で地図を広げようとすると、無理な方向に地図を引っ張ってしまい、地図が破れてしまう。このことは、高齢者や外国人の観光客などが多い場所では特に問題となる。さらに今後は、高齢者や外国人の人口比率の増加が予想されるから、この問題はさらに顕著になるものと思われる。
【０００７】
【特許文献１】実公昭５６−２５０２３号公報
【特許文献２】特公平８−２３７３２号公報
【考案の開示】
【考案が解決しようとする課題】
【０００８】
本考案は、上記した従来技術の問題点に鑑みなされたもので、折畳みシートの開放方向を知らない人であっても、折畳まれた折畳みシートを容易に広げることができ、かつ折畳みシートを広げる際に、無理な方向に折畳みシートを引っ張ることがなく、折畳みシートが破れてしまうことがない開放方向指示表示付折畳みシートを提供することを目的とする。
【課題を解決するための手段】
【０００９】
上記課題を解決するために、本考案の開放方向指示表示付折畳みシートは、垂直方向の折り目線に沿ってアコーディオンカーテン状に縦方向に折畳まれた後、水平方向の折り目線に沿ってアコーディオンカーテン状に横方向に折畳まれることにより、折畳んで携帯可能とした折畳みシートであって、折畳み可能なように表面又は裏面に折り目線が設けられたシート状部材と、折畳んだときに、該シート状部材の折畳み表面と折畳み裏面となる位置にある相対向する角を含む対向片に貼着される表紙部材及び背表紙部材と、該表紙部材及び／又は該背表紙部材に付された開放方向指示表示と、からなり、該開放方向指示表示に従って該シート状部材を開くことにより、該シート状部材を容易に広げることができるようにしたことを特徴とする。
【００１０】
前記シート状部材の折り目線が、垂直方向の折り目線は略Ｗ字形状波線とされ、水平方向の折り目線は直線とされ、該略Ｗ字形状波線とされた垂直方向の折り目線と該直線とされた水平方向の折り目線とからなる平行四辺形を４つ隣り合わせて構成された矢羽根状折り目領域を複数個結合させてなるのが好ましい。
【００１１】
前記シート状部材には、例えば、地図、路線図、スキー場コースやゴルフコース等のマップ、広告、パンフレット又はカタログ等を記載することができる。前記シート状部材の材料は、シート状の可撓性材料であれば、特に限定されないが、紙やフィルム状プラスチック等が好適に用いられる。
【００１２】
前記表紙部材及び／又は背表紙部材に付された開放方向指示表示としては、前記シート状部材を縦方向に開く第１のステップと、該縦方向に開かれたシート状部材を横方向に開く第２のステップと、からなる表示とするのが好適である。
【００１３】
前記表紙部材及び／又は背表紙部材には、前記開放方向指示表示の他にさらに広告欄を設け、広告を付す構成とすることもできる。
【００１４】
また、前記表紙部材及び背表紙部材としては、前記シート状部材よりも強度を有する部材を用いれば、該表紙部材及び背表紙部材を手で持って該シート状部材を広げる際に、該表紙部材及び背表紙部材が変形したりすることがなく、好ましい。前記表紙部材及び背表紙部材の材料としては、例えば、厚紙やプラスチック等を用いることができる。
【００１５】
前記表紙部材及び背表紙部材としては、前記シート状部材を折畳んだときに、該シート状部材の折畳み表面と折畳み裏面となる位置にある相対向する角を含む対向片に貼着された際に、該対向片の外周よりも大きい外周を有するものを使用すれば、該表紙部材及び背表紙部材を手で持って、前記開放方向指示表示付折畳みシートを広げる際に、該表紙部材及び背表紙部材を掴みやすいため、さらに好ましい。
【００１６】
また、前記シート状部材に設けられた折り目線のうち、垂直方向の折り目線は略Ｗ字形状波線とし、水平方向の折り目線は直線とするのがさらに好適である。
【考案の効果】
【００１７】
本考案の開放方向指示表示付折畳みシートによれば、折畳みシートの開放方向を知らない人であっても、折畳まれた折畳みシートを容易に広げることができ、かつ折畳みシートを広げる際に、無理な方向に折畳みシートを引っ張ることがなく、折畳みシートが破れてしまうことがないという著大な効果を奏する。
【考案を実施するための最良の形態】
【００１８】
以下に本考案の実施の形態を添付図面に基づいて説明するが、本考案の技術思想から逸脱しない限りこれらの実施の形態について種々の変更又は変形が可能なことは言うまでもない。
【００１９】
図１は本発明の開放方向指示表示付折畳みシートの平面図、図２は本発明の開放方向指示表示付折畳みシートを手で持ったところを示す摘示斜視説明図、図３は図２の状態から表紙部材を下方向に引っ張ってシート状部材を開いているところを示す摘示斜視説明図、図４は表紙部材を下方向に引っ張った後、横方向に引っ張ってシート状部材を開いているところを示す摘示斜視説明図、図５は図４の状態からさらに横方向に引っ張ってシート状部材を開いて本発明の開放方向指示表示付折畳みシートを広げたところを示す摘示斜視説明図、図６はシート状部材の折り目線を示す概略説明図である。
【００２０】
図１〜５において、符号１０は本発明の開放方向指示表示付折畳みシートを示す。該開放方向指示表示付折畳みシート１０は、紙製のシート状部材１２を垂直方向の折り目線２２に沿って縦方向にアコーディオンカーテン状に折畳んだ後、水平方向の折り目線２４に沿って横方向にアコーディオンカーテン状に折畳むことによって折畳み可能なように表面に折り目線が設けられたシート状部材１２と、折畳んだときに、該シート状部材１２の折畳み表面と折畳み裏面となる位置にある相対向する角を含む対向片２０ａ，２０ｂに貼着された厚紙製の表紙部材１４及び背表紙部材１６と、表紙部材１４に付された開放方向指示表示１８と、から構成されている。
【００２１】
表紙部材１４には、図１によく示される如く、シート状部材１２を下方向に開く第１のステップと、該下方向に開かれたシート状部材１２を右方向に開く第２のステップと、が表示された開放方向指示表示１８が付されている。開放方向指示表示１８としては、シート状部材１２を縦方向に開く第１のステップと、該縦方向に開かれたシート状部材１２を横方向に開く第２のステップと、が表示されているのが好ましいが、開放方向指示表示１８としては、開放方向指示表示付折畳みシート１０の開放方向が示される限り、図示例以外にも、種々の変形が可能である。
【００２２】
さらに、表紙部材１４及び／又は背表紙部材１６には、開放方向指示表示１８の他にさらに広告欄を設け、広告を付す構成とすることもできる。
【００２３】
図６に示される如く、シート状部材１２の表面に設けられた折り目線は、垂直方向の折り目線２２は略Ｗ字形状波線とされ、水平方向の折り目線２４は直線とされている。そして、略Ｗ字形状波線とされた垂直方向の折り目線２２と直線とされた水平方向の折り目線２４とからなる４つの平行四辺形２６，２８，３０，３２を隣り合わせて構成された矢羽根状折り目領域３４が形成され、該矢羽根状折り目領域３４を複数個結合させてシート状部材１２の折り目線が形成されている。
【００２４】
上記した図６の折り目線は、通称ミウラ折り（特許文献１参照）と呼ばれる折り方に用いられる従来の折り目線と同様のものである。これら折り目線は、公知の折り目線形成装置等を用いて形成することができる。図示の例では、縦５分割×横８分割の例を示したが、図示例以外にも、縦の分割数が奇数かつ横の分割数が偶数である限り、それぞれの分割数を任意の数に変更することができることはいうまでもない。
【００２５】
また、シート状部材１２の裏面やシート状部材１２の表面及び裏面の両面に折り目線を設けることができることはもちろんである。シート状部材１２には、例えば、地図、路線図、スキー場コースやゴルフコース等のマップ、広告、パンフレット又はカタログ等を記載することができる。
【００２６】
このように構成されたシート状部材１２には、図２及び図３のようにシート状部材１２を折畳んだときに、シート状部材１２の折畳み表面と折畳み裏面となる位置にある相対向する角（図示例では、図４及び図５に示す如く、シート状部材１２の左上隅角及び右下隅角）を含む対向片２０ａ，２０ｂに表紙部材１４及び背表紙部材１６が貼着されている。
【００２７】
表紙部材１４及び背表紙部材１６は、表紙部材１４及び背表紙部材１６を手で持ってシート状部材１２を広げる際に、表紙部材１４及び背表紙部材１６が変形したりすることがないように、シート状部材１２よりも強度を有する厚紙を用いてあるが、シート状部材１２よりも強度を有する部材であれば他の材料を適用できることはいうまでもない。
【００２８】
また、表紙部材１４及び背表紙部材１６は、表紙部材１４及び背表紙部材１６を手で持ってシート状部材１２を広げる際に、表紙部材１４及び背表紙部材１６を掴みやすいように、シート状部材１２を折畳んだときに、シート状部材１２の折畳み表面と折畳み裏面となる位置にある相対向する角（図示例では、図４及び図５に示す如く、シート状部材１２の左上隅角及び右下隅角）を含む対向片２０ａ，２０ｂに貼着された際に、対向片２０ａ，２０ｂの外周よりも大きい外周となるように構成されている（図３及び図４）。
【００２９】
次に、上記した構成に基づく本発明の開放方向指示表示付折畳みシート１０の開放手順を以下に説明する。
【００３０】
まず、開放方向指示表示付折畳みシート１０のシート状部材１２を垂直方向の折り目線２２に沿って縦方向にアコーディオンカーテン状に折畳んだ後、水平方向の折り目線２４に沿って横方向にアコーディオンカーテン状に折畳むことによって折畳み、図１に示すような折畳んだ状態の開放方向指示表示付折畳みシート１０とする。この開放方向指示表示付折畳みシート１０には、図１に示すような開放方向指示表示１８が付されている。そして、折畳まれた状態の開放方向指示表示付折畳みシート１０を図２のように左手に持つ。
【００３１】
第１のステップとして、開放方向指示表示１８に従い、図３に示すように表紙部材１４を右手で下方向に引っ張りシート状部材１２を下方向に開く。
【００３２】
表紙部材１４を下方向に引っ張りシート状部材１２を開いた後、第２のステップとして、図４に示すように開放方向指示表示１８に従って今度は図４に示すように横方向（図示例では右）に引っ張り、シート状部材１２を横方向に開く。
【００３３】
そして、図４の状態からシート状部材１２をさらに横方向に開くと、図５に示す如く、開放方向指示表示付折畳みシート１０が広げられる。このようにして、開放方向指示表示１８に従ってシート状部材１２を開くことにより、開放方向指示表示付折畳みシート１０を容易に広げることができる。
【図面の簡単な説明】
【００３４】
【図１】本発明の開放方向指示表示付折畳みシートの平面図である。
【図２】本発明の開放方向指示表示付折畳みシートを手で持ったところを示す摘示斜視説明図である。
【図３】図２の状態から表紙部材を下方向に引っ張ってシート状部材を開いているところを示す摘示斜視説明図である。
【図４】表紙部材を下方向に引っ張った後、横方向に引っ張ってシート状部材を開いているところを示す摘示斜視説明図である。
【図５】図４の状態からさらに横方向に引っ張ってシート状部材を開いて本発明の開放方向指示表示付折畳みシートを広げたところを示す摘示斜視説明図である。
【図６】シート状部材の折り目線を示す概略説明図である。
【符号の説明】
【００３５】
１０：開放方向指示表示付折畳みシート、１２：シート状部材、１４：表紙部材、１６：背表紙部材、１８：開放方向指示表示、２０ａ，２０ｂ：対向片、２２：垂直方向の折り目線、２４：水平方向の折り目線、２６，２８，３０，３２：平行四辺形、３４：矢羽根状折り目領域。
【図１】
0003104537.tif 000003
【図２】
0003104537.tif 000004
【図３】
0003104537.tif 000005
【図４】
0003104537.tif 000006
【図５】
0003104537.tif 000007
【図６】
0003104537.tif 000008